(57)【要約】【課題】本体上面の吸込グリルを前方の所定の位置までスライドさせて保持し、その前端下部からエアフィルタを挿脱できるようにした空気調和機を提供する。【解決手段】吸込グリル８を前方にスライドさせるガイド部７が、前記吸込グリル８の側部から垂下されてなるフランジ１２に凹設された前後に延びるガイド溝１３と、上面パネル６に設けられ、前記ガイド溝１３にスライド自在に係合する突片１４と、前記ガイド溝１３に突設され、前記突片１４に圧接して前記吸込グリル８を所定のスライド位置で保持する突出部１３ａ　とで構成されると共に、前記吸込グリル８の裏面側に装着されたエアフィルタが、スライドした前記吸込グリル８の前端下部から挿脱されるようにした。【選択図】　図４
2004138309.tif 000002
【特許請求の範囲】
【請求項１】
熱交換機器および送風ファンを支持したベースと、同ベースの前面上部に設けられ、吸込桟を備えた後面部と、ガイド部により吸込グリルが前後にスライド可能に、且つ着脱可能に装着される吸込口を備えた前面部とからなる上面パネルと、同上面パネルの裏面側に着脱可能に設けられたエアフィルタと、前記ベースの前面下部に設けられ、吹出口を備えた下面パネルとで構成され、
前記ガイド部が、前記吸込グリルの側部から垂下されてなるフランジに凹設された前後に延びるガイド溝と、前記上面パネルに設けられ、前記ガイド溝にスライド自在に係合する突片と、前記ガイド溝に突設され、前記突片に圧接して前記吸込グリルを所定のスライド位置で保持する突出部とで構成されると共に、前記エアフィルタが、スライドした前記吸込グリルの前端下部から挿脱されるようにしてなることを特徴とする空気調和機。
【請求項２】
前記吸込桟の裏面および前記吸込口に、前後に延びてこれらを左右に区画する区画桟を設けると共に、前記吸込グリルと、前記ガイド部と、前記エアフィルタとが前記区画桟を介して左右に分割形成されてなることを特徴とする請求項１に記載の空気調和機。
【請求項３】
前記突出部を有するガイド溝を備えた前記フランジが、前記吸込グリルの両側部から垂下されてなることを特徴とする請求項１に記載の空気調和機。
【請求項４】
前記突出部の後方に、前記突片が離脱しないように規制するストッパが形成されてなることを特徴とする請求項１に記載の空気調和機。
【請求項５】
前記フランジに視認可能な押圧部を設け、同押圧部を手指で押圧して前記フランジを弾性変形させることにより、前記ガイド溝から前記突片を離脱させるようにしてなることを特徴とする請求項１に記載の空気調和機。
【請求項６】
前記押圧部が、前記ガイド溝の下部に波状に形成されてなることを特徴とする請求項５に記載の空気調和機。
【発明の詳細な説明】
【０００１】
【発明の属する技術分野】
本発明は、空気調和機に係わり、より詳細には、本体上面の吸込グリルを前方の所定の位置までスライドさせて保持し、その前端下部からエアフィルタを挿脱できるようにした構造に関する。
【０００２】
【従来の技術】
従来の空気調和機には、本体の前面に設けられた吸込グリルを経て上記本体内に吸い込まれた室内空気がエアフィルタ、熱交換器、ファンをこの順に経て吹出口から室内に吹き出される壁掛形空気調和機において、上記吸込グリルにその上下方向に沿ってラックを設けるとともに上記本体に上記ラックと噛み合うピニオンギア及びこのピニオンギアを回転駆動するモータを設けることにより、メンテナンス時に上記吸込グリルを昇降させて上記吸込口を容易に開閉できるようにして、上記エアフィルタの着脱を容易に行なえるようにした発明が開示されていた（例えば、特許文献１参照。）。
【０００３】
しかしながら、上記吸込口を容易に開閉できるようにして、上記エアフィルタの着脱を容易に行なえるようにした上記の発明は、例えば図６で示すように本体の上下寸法を抑え、上面に設けた吸込口５に着脱可能に装着された吸込グリル（吸込パネル）８の裏面にエアフィルタ９が着脱可能に取り付けられ、天井面に近接して設置される所謂シーリングウォール型の空気調和機に対しては適用することができなかった。
【０００４】
そのため、上記吸込グリルを、空気調和機本体の前部で上下に昇降させることができない構成でなる上記シーリングウォール型の空気調和機においては、前記吸込グリル（吸込パネル）８を前方の所定位置までスライドさせてガタ付かないように保持し、同吸込グリル（吸込パネル）８の前端下部から前記エアフィルタ９を挿脱できるようにすることが望まれていた。
【０００５】
【特許文献１】
特開平８−２８５３１８号公報（第１頁および第２頁、第１図）
【０００６】
【発明が解決しようとする課題】
本発明においては、上記の問題点に鑑み、本体上面の吸込グリルを前方の所定の位置までスライドさせて保持し、その前端下部からエアフィルタを挿脱できるようにした空気調和機を提供することを目的とする。
【０００７】
【課題を解決するための手段】
本発明は、上記課題を解決するため、熱交換機器および送風ファンを支持したベースと、同ベースの前面上部に設けられ、吸込桟を備えた後面部と、ガイド部により吸込グリルが前後にスライド可能に、且つ着脱可能に装着される吸込口を備えた前面部とからなる上面パネルと、同上面パネルの裏面側に着脱可能に設けられたエアフィルタと、前記ベースの前面下部に設けられ、吹出口を備えた下面パネルとで構成され、
前記ガイド部が、前記吸込グリルの側部から垂下されてなるフランジに凹設された前後に延びるガイド溝と、前記上面パネルに設けられ、前記ガイド溝にスライド自在に係合する突片と、前記ガイド溝に突設され、前記突片に圧接して前記吸込グリルを所定のスライド位置で保持する突出部とで構成されると共に、前記エアフィルタが、スライドした前記吸込グリルの前端下部から挿脱されるようにしてなる構成となっている。
【０００８】
また、前記吸込桟の裏面および前記吸込口に、前後に延びてこれらを左右に区画する区画桟を設けると共に、前記吸込グリルと、前記ガイド部と、前記エアフィルタとが前記区画桟を介して左右に分割形成されてなる構成となっている。
【０００９】
また、前記突出部を有するガイド溝を備えた前記フランジが、前記吸込グリルの両側部から垂下されてなる構成となっている。
【００１０】
また、前記突出部の後方に、前記突片が離脱しないように規制するストッパが形成されてなる構成となっている。
【００１１】
また、前記フランジに視認可能な押圧部を設け、同押圧部を手指で押圧して前記フランジを弾性変形させることにより、前記ガイド溝から前記突片を離脱させるようにしてなる構成となっている。
【００１２】
更に、前記押圧部が、前記ガイド溝の下部に波状に形成されてなる構成となっている。
【００１３】
【発明の実施の形態】
以下、本発明の実施の形態を図面に基づいた実施例として詳細に説明する。
図１は本発明による空気調和機の断面図で、（Ａ）は吸込グリルを装着した状態を、（Ｂ）は吸込グリルを前方にスライドさせた状態を夫々示し、図２は本発明による空気調和機の斜視図で、（Ａ）は吸込グリルを装着した状態を、（Ｂ）は吸込グリルを前方にスライドさせた状態を、（Ｃ）はエアフィルタを取り出す状態を夫々示し、図３は本発明による空気調和機の吸込グリルの斜視図であり、図４は本発明による空気調和機の吸込グリルを前方にスライドさせた状態を示す斜視図であり、図５は吸込グリルを前方にスライドさせた状態を示す要部斜視図である。
【００１４】
本発明による空気調和機は、図１（Ａ）および図１（Ｂ）で示すように、熱交換機器１および送風ファン２を支持したベース３の前面上部に、吸込桟４ａを備えた後面部４と、ガイド部７により吸込グリル８が前後にスライド可能に、且つ着脱可能に装着される吸込口５を備えた前面部とからなる上面パネル６を装着すると共に、同上面パネル６の裏面側にエアフィルタ９を着脱可能に装着し、且つ前記ベース３の前面下部には、吹出口１０を備えた下面パネル１１を装着してなり、前記吸込口５から吸い込まれ前記熱交換機器１によって熱交換された空気を、前記送風ファン２により前記吹出口１０から被空調室へ吹き出すようにしていた。
【００１５】
このタイプの空気調和機は、被空調室の天井面に吊下げ設置されたり、または、壁面に据付け設置されるように構成されたシーリングウォール型と呼ばれるものであって、例えばメンテナンス時には、被空調室の天井面に近接した前記吸込グリル８を取り外すことなく、前記エアフィルタ９を容易に取り外せるようにすることが望まれていた。
【００１６】
そこで、本発明における前記吸込グリル８は、前記上面パネル６の吸込口５に前後にスライド可能に装着されると共に、前方の所定の位置までスライドしてガタ付かないように保持された前記吸込グリル８の前端下部から、前記エアフィルタ９が、前記吸込グリル８の前端下部から容易に挿脱されるようにした構成となっている。
【００１７】
また、図２（Ｂ）および図２（Ｃ）で示すように、前記吸込桟４ａの背面および前記吸込口５に、前後に延びてこれらを左右に区画する区画桟１５を設けると共に、前記吸込グリル８と、前記ガイド部７と、前記エアフィルタ９とが前記区画桟１５を介して左右に分割形成された構成となっている。
【００１８】
ここで、前記ガイド部７の構成について詳細に説明する。
前記ガイド部７は、図３乃至図５で示すように、前記吸込グリル８の側部から垂下されてなるフランジ１２に凹設された前後に延びるガイド溝１３と、前記上面パネル６に設けられ、前記ガイド溝１３にスライド自在に係合する突片１４と、前記ガイド溝１３に突設され、前記突片１４に圧接して前記吸込グリル８を所定のスライド位置で保持する突出部１３ａ　とで構成されると共に、前記エアフィルタ９は、スライドした前記吸込グリル８の前端下部から挿脱されるようにした構成となっている。
【００１９】
上記の構成により、次にその動作について説明する。
例えばメンテナンス時には、図１（Ａ）および図２（Ａ）で示すように、前記吸込グリル８を前記吸込口５に装着している状態では、図４および図５で示すような前記吸込グリル８に設けられた係止爪１７ａ　が前記上面パネル６に設けられた係止部１７ｂ　に係止している。
【００２０】
そしてメンテナンス時には、被空調室の天井面に近接した前記吸込グリル８を取り外すことなく前記エアフィルタ９を取り外す際、図１（Ｂ）と、図２（Ｂ）および図２（Ｃ）とで示すように、前記吸込グリル８を前記ガイド部７のガイド溝１３に沿わせて前方にスライドさせ、所定の位置で前記突出部１３ａ　を前記突片１４に圧接させてガタ付かないように保持した状態にし、該吸込グリル８の前端下部から矢印で示すように取り外すことができるので作業性がよくなる。
【００２１】
なお、前記突出部１３ａ　を有するガイド溝１３を備えた前記フランジ１２が、前記吸込グリル８の両側部から垂下されてなる構成となっているので、前記吸込グリル８の両側部のガイド溝１３を、これに対応する前記突片１４により円滑にスライドさせるように支持できるようになり、また、前記吸込グリル８の両側部の突出部１３ａ　に前記突片１４を夫々圧接させて前記吸込グリル８をガタ付かせることなく正確に保持できるようになっている。
【００２２】
また、前記突出部１３ａ　の後方には、前記突片１４が離脱しないように規制するストッパ１３ｂ　が形成されているので、前記突出部１３ａ　を前記突片１４よりも前方に位置させた場合であっても、前記ガイド溝１３から前記突片１４が離脱しないようになって前記吸込グリル８が落下してしまうことがない。
【００２３】
そして、前記吸込グリル８を前記上面パネル６から意図的に取り外したい場合には、前記フランジ１２に凹設された前記ガイド溝１３の下部近傍の押圧部１６を手指で押圧し、前記フランジ１２を弾性変形させることにより、前記ガイド溝１３から前記突片１４を離脱させるようにしている。
【００２４】
その際、前記押圧部１６は、前記ガイド溝１３の下部に波状に形成された構成になっているので、手指の先端を当て押圧することによって、前記フランジ１２を効果的に弾性変形させることができる位置を正確に視認できるようになり、また、同押圧部１６が波状に形成されていることによって押圧時にスリップしない。
【００２５】
【発明の効果】
以上説明したように、本発明によれば、本体上面の吸込グリルを前方の所定の位置までスライドさせて保持し、その前端下部からエアフィルタを挿脱できるようにした空気調和機となる。
【図面の簡単な説明】
【図１】本発明による空気調和機の断面図で、（Ａ）は吸込グリルを装着した状態を示し、（Ｂ）は吸込グリルを前方にスライドさせた状態を示す。
【図２】本発明による空気調和機の斜視図で、（Ａ）は吸込グリルを装着した状態を示し、（Ｂ）は吸込グリルを前方にスライドさせた状態を示し、（Ｃ）はエアフィルタを取り出す状態を示す。
【図３】本発明による空気調和機の吸込グリルの斜視図である。
【図４】本発明による空気調和機の吸込グリルを前方にスライドさせた状態を示す斜視図である。
【図５】本発明による空気調和機の吸込グリルを前方にスライドさせた状態を示す要部斜視図である。
【図６】従来例による空気調和機の断面図である。
【符号の説明】
１　熱交換器
２　送風ファン
３　ベース
４　後面部
４ａ　吸込桟
５　吸込口
６　上面パネル
７　ガイド部
８　吸込グリル
９　エアフィルタ
１０　吹出口
１１　下面パネル
１２　フランジ
１３　ガイド溝
１３ａ　突出部
１３ｂ　ストッパ
１４　突片
１５　区画桟
１６　押圧部
１７ａ　係止爪
１７ｂ　係止部
【図１】
2004138309.tif 000003
【図２】
2004138309.tif 000004
【図３】
2004138309.tif 000005
【図４】
2004138309.tif 000006
【図５】
2004138309.tif 000007
【図６】
2004138309.tif 000008